(57)【要約】【課題】フィルターの清掃の際、手動でフィルターを牽引することにより容易に清掃が行え、また本体に自動的に収納することができる空気調和機を提供する。【解決手段】本体内に、第一ブラシ１４と第二ブラシ１５と第三ブラシ１６とを備えたダストボックス１１を設けるとともに、同ダストボックス１１の下部に、第二歯車２２と、同第二歯車２２を軸支する第二軸２２ａに一方を固定された、第一渦巻部２３ａと第二渦巻部２３ｂとからなる渦巻バネ２３と、ダンパ装置２４と、これらを覆うカバー１２ａとからなる巻戻し装置１２を設ける。【選択図】  図６
2004245448.tif 000002
【特許請求の範囲】
【請求項１】
吸込口と吹出口とを形成した本体内に、熱交換器と送風ファンとを収納し、前記吸込口の裏面に、吸込まれた空気に含有される塵埃を除去するフィルターを装着してなる空気調和機において、
前記本体の前面に前記フィルターを出し入れする出し入れ口を設ける一方、前記本体内の前面側に前記出し入れ口に臨んで、前記フィルターが通過する通過口を前後に備えるとともに、これが通過する際、その表面に蓄積した塵埃を除去する複数のブラシを備えたダストボックスを設ける一方、同ダストボックスの下部に、前記フィルターが前記本体の前面側に引き出された際、自動的に前記本体内に収納する巻戻し手段を備えた巻戻し装置を設けてなることを特徴とする空気調和機。
【請求項２】
前記ダストボックスが、上下に分割された上部ボックスと下部ボックスとからなり、前記上部ボックスに前記フィルターの表側に蓄積した塵埃を除去する第一ブラシと第二ブラシとを前後して設ける一方、前記下部ボックスに前記フィルターの裏側に蓄積した塵埃を除去する第三ブラシを設けてなることを特徴とする請求項１に記載の空気調和機。
【請求項３】
前記第一ブラシが、前記フィルターが本体の前面側に引き出される際、その通過方向と対向するように傾斜して植設され、前記第二ブラシがその通過方向と同方向となるように傾斜して植設されてなることを特徴とする請求項２に記載の空気調和機。
【請求項４】
前記フィルターが、前後に延びる中央梁を備えた枠体と、同枠体内に張設された不織布とからなり、前記中央梁の裏面に複数の歯車を直線状に形成したラックを設けてなることを特徴とする請求項１に記載の空気調和機。
【請求項５】
前記下部ボックスの中央部に、一対の仕切板により回動自在に軸支され、前記フィルターに設けられた前記ラックに歯合する第一歯車を設けてなることを特徴とする請求項２又は請求項４に記載の空気調和機。
【請求項６】
前記巻戻し装置に備えられた巻戻し手段が、バネ材を渦巻状に巻回した第一渦巻部と同第一渦巻部から導出されたバネ材を前記第一渦巻部と反対方向となるように巻回した第二渦巻部とからなる渦巻バネと、前記第一渦巻部の軸に固定され前記第一歯車と歯合する第二歯車から構成されてなることを特徴とする請求項１又は請求項５に記載の空気調和機。
【請求項７】
前記巻戻し装置に、前記第二歯車に歯合するダンパ装置を設けてなることを特徴とする請求項１又は請求項６に記載の空気調和機。
【請求項８】
前記ダストボックスの前記通過口近傍に、布状部材を巻回し前記第二ブラシ及び前記第三ブラシによりかき取られた塵埃が前記ダストボックス外に逆流することを防止する逆流防止部材を設けてなることを特徴とする請求項１又は請求項２に記載の空気調和機。
【請求項９】
前記上部ボックスの下端に内側に突設する突設片を設け、前記下部ボックスに前記突設片に対応する凹部を設け、前記フィルターの側端に前記突設片に対応する切欠きを設け、同様フィルターを位置決めしてなることを特徴とする請求項２に記載の空気調和機。
【発明の詳細な説明】
【０００１】
【発明の属する技術分野】
本発明は、空気調和機に関わり、より詳細には、フィルターの表面に蓄積された塵埃をダストボックスに集塵する構成に関する。
【０００２】
【従来の技術】
従来の空気調和機は、例えば図９で示すように、本体４０の上面に吸込口４１を、下面前部に風向偏向板を備えた吹出口４２を設け、前記吸込口４１と前記吹出口４２とを結ぶ空気通路に前部熱交換器と後部熱交換器とからなり逆Ｖ字状に形成された熱交換器４３と、同熱交換器４３で熱交換された空気を室内に送出する送風ファン４４とを設けている。
【０００３】
前記吸込口４１の裏面には、不織布からなり吸込まれた空気に含有される塵埃を吸着するフィルター４５が着脱自在に装着されており、前記本体４０の前部には前記フィルター４５を挟着するダストボックス４６が設けられている。同ダストボックス４５内にはブラシ４７と、回転子４９と同回転子４９を駆動する駆動モータ４８とが設けられており、前記ブラシ４７と前記回転子４９とで前記フィルター４５を挟着するようになっている。（特許文献１参照）
【０００４】
前記フィルター４５の表面に塵埃が蓄積した際は、前記駆動モータ４８により前記回転子４９を回動させ、前記フィルター４５を図９で示すように前記本体４０の前方に牽引する。これにより蓄積した塵埃は前記ブラシ４７により捕獲、補集されるとともに、前記ダストボックス４６内に収納されるようになっている。この後、前記駆動モータ４８を逆転させ前記フィルター４５を前記吸込口４１の裏面に再び格納する。
【０００５】
しかしながら、上記したダストボックス４６の構成においては前記駆動モータ４８を制御する制御回路が必要とされる上、構造も比較的複雑になり、また電力も要することから、省エネ性に優れたフィルターの清掃機構が求められていた。
【０００６】
【特許文献１】
特開２００２−１８７７０８号
【０００７】
【発明が解決しようとする課題】
本発明は上記問題点に鑑み、手動で操作できるとともに操作が容易に行えるダストボックスを備えた空気調和機を提供することを目的とする。
【０００８】
【課題を解決するための手段】
本発明は上記課題を解決するため、吸込口と吹出口とを形成した本体内に、熱交換器と送風ファンとを収納し、前記吸込口の裏面に、吸込まれた空気に含有される塵埃を除去するフィルターを装着してなる空気調和機において、
前記本体の前面に前記フィルターを出し入れする出し入れ口を設ける一方、前記本体内の前面側に前記出し入れ口に臨んで、前記フィルターが通過する通過口を前後に備えるとともに、これが通過する際、その表面に蓄積した塵埃を除去する複数のブラシを備えたダストボックスを設ける一方、同ダストボックスの下部に、前記フィルターが前記本体の前面側に引き出された際、自動的に前記本体内に収納する巻戻し手段を備えた巻戻し装置を設けてなる構成となっている。
【０００９】
また、前記ダストボックスが、上下に分割された上部ボックスと下部ボックスとからなり、前記上部ボックスに前記フィルターの表側に蓄積した塵埃を除去する第一ブラシと第二ブラシとを前後して設ける一方、前記下部ボックスに前記フィルターの裏側に蓄積した塵埃を除去する第三ブラシを設けてなる構成となっている。
【００１０】
また、前記第一ブラシが、前記フィルターが本体の前面側に引き出される際、その通過方向と対向するように傾斜して植設され、前記第二ブラシがその通過方向と同方向となるように傾斜して植設されてなる構成となっている。
【００１１】
また、前記フィルターが、前後に延びる中央梁を備えた枠体と、同枠体内に張設された不織布とからなり、前記中央梁の裏面に複数の歯車を直線状に形成したラックを設けてなる構成となっている。
【００１２】
また、前記下部ボックスの中央部に、一対の仕切板により回動自在に軸支され、前記フィルターに設けられた前記ラックに歯合する第一歯車を設けてなる構成となっている。
【００１３】
また、前記巻戻し装置に備えられた巻戻し手段が、バネ材を渦巻状に巻回した第一渦巻部と同第一渦巻部から導出されたバネ材を前記第一渦巻部と反対方向となるように巻回した第二渦巻部とからなる渦巻バネと、前記第一渦巻部の軸に固定され前記第一歯車と歯合する第二歯車から構成されてなる構成となっている。
【００１４】
また、前記巻戻し装置に、前記第二歯車に歯合するダンパ装置を設けてなる構成となっている。
【００１５】
また、前記ダストボックスの前記通過口近傍に、布状部材を巻回し前記第二ブラシ及び前記第三ブラシにより〓き取られた塵埃が前記ダストボックス外に逆流することを防止する逆流防止部材を設けてなる構成となっている。
【００１６】
更に、前記上部ボックスの下端に内側に突設する突設片を設け、前記下部ボックスに前記突設片に対応する凹部を設け、前記フィルターの側端に前記突設片に対応する切欠きを設け、同様フィルターを位置決めしてなる構成となっている。
【００１７】
【発明の実施の形態】
以下、本発明の実施の形態を、添付図面に基づいた実施例として詳細に説明する。
図１は本発明による空気調和機の斜視図であり、図２はその断面図である。図３はダストボックスの斜視図であり、図４はその分解斜視図である。図５はフィルターの表面と裏面とを示す斜視図であり、図６はダストボックスと同ダストボックスに装着される巻戻し装置を示す断面図であり、図７は同巻戻し装置に備えられた特殊な渦巻バネを示す斜視図である。
本発明による空気調和機は、図１及び図２で示すように、壁面に据付けられるベース１と、同ベース１の上面前部に装着され前端から後端近傍に至り吸込口４を形成した上部パネル３と、下面前部に装着され複数の風向偏向板５ａを備えた吹出口５を形成した下部パネル２とで本体を構成している。
【００１８】
前記吸込口４と前記吹出口５とを結ぶ空気通路には後方に傾斜した前部熱交換器６ａと前方に傾斜した後部熱交換器６ｂとからなり逆Ｖ字状に形成された熱交換器６と、同熱交換器６により熱交換された空気を室内に送出する送風ファン７とが設けられ、又前記前部熱交換器６ａと前記後部熱交換器６ｂの下方には、これらから滴下する凝縮水を受ける露受皿８が設けられている。
【００１９】
前記吸込口４の裏面には、吸込まれた空気に含有される塵埃を吸着するフィルター１０が前後摺動自在に装着され、本体の内部前方には前記フィルター１０が通過する通過口を前後に備えたダストボックス１１が設けられ、又その下部には巻戻し装置１２が設けられている。また、前記上部パネル３の前端と前記下部パネル３の前端との間には、前記フィルター１０が出し入れ自在となる出し入れ口９が形成されている。
【００２０】
前記ダストボックス１１は、図３で示すように、上下に２分割された上部ボックス１１ａと下部ボックス１１ｂとからなり、これらの間には前記フィルター１０が通過する通過口１３が前後に形成されている。図４は同ダストボックス１１の分解斜視図であり、前記上部ボックス１１ａの内壁には第一ブラシ１４と第二ブラシ１５とが相前後して設けられ、前記第一ブラシ１４は前記フィルター１０が引き出される際、引き出される方向に対向するように傾斜して植設され、前記第二ブラシ１５は引き出される方向に向かうように傾斜して植設されている。
【００２１】
前記下部ボックス１１ｂの中央部には一対の仕切板により回動自在に軸支された第一歯車１７が設けられ、その両側には前記上部ボックス１１ａに設けられた第二ブラシ１５と対向するように第三ブラシ１６が植設されている。又、同下部ボックス１１ｂの前記第三ブラシ１６側には、布状部材を巻回するとともに両側をスプリングにより付勢され、補集、捕獲された塵埃が逆流しないよう防止する逆流防止部材１８及び１９が回動自在に軸支されるようになっている。
【００２２】
前記フィルター１０は、図５（Ａ）で示すように、前後に延びる中央梁１０ｃを備えた枠体１０ａと、同枠体１０ａに張設された不織布１０ｂとからなり、前記枠体１０ａの両側には前後に延びるガイドリブ１０ｄが一体となって形成されている。前記上部パネル３の内壁両側には前記ガイドリブ１０ｄが案内されるガイド溝が形成されており、これにより前記フィルター１０は前記上部パネル３に前後摺動自在に支持されるようになっている。又、図５（Ｂ）で示すように、前記中央梁１０ｃの裏面には、複数の歯車を直線状に形成したラック１０ｅが設けられている。
【００２３】
前記フィルター１０が前記ダストボックス１１内を通過すると、図６で示すように、前記上部ボックス１１ａに設けられた前記第一ブラシ１４と前記第二ブラシ１５とが前記フィルター１０の表側に接触し、前記下部ボックス１１ｂに設けられた前記第三ブラシ２１が裏側に接触するようになっている。又、前記第一歯車１７が前記中央梁１０ｃの裏面に設けられたラック１０ｅと歯合するようになっている。
【００２４】
前記ダストボックス１１の下部には、上記したように巻戻し装置１２が装着されており、同巻戻し装置１２は図６で示すように、前記第一歯車１７の下部側に上部側が歯合するよう第二軸２２ａに軸支された第二歯車２２と、前記第二軸２２ａに一方を固定された渦巻バネ２３と、前記第二歯車２２の下部側に上部側が歯合するダンパ装置２４と、これらを覆うカバー１２ａとからなっている。
【００２５】
前記渦巻バネ２３は、図７で示すように、渦巻状に巻回され前記第二軸２２ａに回動自在に軸支された第一渦巻部２３ａと、前記カバー１２ａの側壁から突設された軸２３ｃに回動自在に軸支された第二渦巻部２３ｂとからなり、前記第一渦巻部２３ａと前記第二渦巻部２３ｂとは逆回転となるようにバネ材により接続されている。前記第一渦巻部２３ａから前記第二渦巻部２３ｂ側へバネ材が巻回されると前記第一渦巻部２３ａには巻き取られる方向とは反対方向への回転力が生じるとともに、常に一定の牽引力で牽引できるようになっている。
【００２６】
又、前記上部ボックス１１ａと前記下部ボックス１１ｂには、図８で示すように、前記フィルター１０を位置決めする位置決め部が備えられており、前記上部ボックス１１ａの下端には矩形状の突設片２６が、前記下部ボックス１１ｂには前記突設片２６に対応する凹部２７が形成される一方、前記フィルター１０の一側端には、これらに対応する切欠き２５が形成されており、同切欠き２５を前記突設片２６に対応させることにより前記フィルター１０の前後及び左右の位置決めが行えるようになっている。
【００２７】
次に、動作について説明する。長期間の運転により前記フィルター１０の表面及び裏面に塵埃が蓄積し清掃が必要な際は、図１に示すように、手動により前記出し入れ口から前記フィルター１０を手前側に引き抜くようにする。図６で示すように前記フィルター１０が移動すると、前記第一ブラシ１４が表面に蓄積した塵埃をかき上げ前記上部ボックス１１ａ内に集塵するようになっている。また前記第二ブラシ１５は除去しきれなかった塵埃を捕獲、補集し同様に前記上部ボックス１１ａ内に集塵するようになっている。前記第三ブラシ２１は前記フィルター１０の裏面に蓄積された塵埃をかき落とし前記下部ボックス１１ｂ内に集塵するようになっている。
【００２８】
前記フィルター１０が移動すると、前記ラック１０ｅに歯合した前記第一歯車２２が回動し、これに伴って前記渦巻バネ２３のバネ材が前記第一渦巻部２３ａ側から前記第二渦巻部２３ｂ側へと巻回されるようになっている。前記フィルター１０を終端部まで引き抜き清掃が完了したら、同フィルター１０から手を外し自由な状態にする。これにより、前記巻戻し装置１２の前記第二歯車２２には前記渦巻バネ２３により前記フィルター１０を引き出す方向とは反対方向への回転力が発生し、自動的に本体内に収納するようになっている。またこの際、前記巻戻し装置１２に設けられたダンパ装置２４により、危険を生じないよう徐々に収納されるようになっている。
【００２９】
【発明の効果】
以上説明したように、本発明によると、本体内に塵埃を集塵するダストボックスとフィルターを本体内に自動的に収納する巻戻し装置を設け、長期間の運転の後、フィルターの表面及び裏面に塵埃が蓄積した際、本体前面の出し入れ口からフィルターを手動により手前側に牽引することにより、フィルターの清掃が行え、また前記巻戻し装置によりフィルターを自動的に収納できる使い勝手性に優れ且つ省エネ性を備えた空気調和機とすることができる。
【図面の簡単な説明】
【図１】本発明による空気調和機を示す外観斜視図である。
【図２】本発明による空気調和機を示す断面図である。
【図３】本発明による空気調和機に備えられたダストボックスを示す外観斜視図である。
【図４】ダストボックスを示す分解斜視図である。
【図５】（Ａ）はフィルターの表側を示す斜視図である。（Ｂ）はフィルターの裏側を示す斜視図である。
【図６】ダストボックスと巻戻し装置を示す断面図である。
【図７】巻戻し装置に備えられた渦巻バネを示す斜視図である。
【図８】フィルターの位置決部を示す要部斜視図である。
【図９】従来例による空気調和機を示す断面図である。
【符号の説明】
１  ベース
２  下部パネル
３  上部パネル
４  吸込口
５  吹出口
５ａ  風向偏向板
６  熱交換器
６ａ  前部熱交換器
６ｂ  後部熱交換器
７  送風ファン
８  露受皿
９  出し入れ口
１０  フィルター
１０ａ  枠体
１０ｂ  不織布
１０ｃ  中央梁
１０ｄ  ガイドリブ
１０ｅ  ラック
１１  ダストボックス
１１ａ  上部ボックス
１１ｂ  下部ボックス
１２  巻戻し装置
１２ａ  カバー
１３  通過口
１４  第一ブラシ
１５  第二ブラシ
１６  第三ブラシ
１７  第一歯車
１７ａ  第一軸
１８、１９  逆流防止部材
２２  第二歯車
２２ａ  第二軸
２３  渦巻バネ
２３ａ  第一渦巻部
２３ｂ  第二渦巻部
２３ｃ  軸
２４  ダンパ装置
２５  切欠き
２６  突設片
２７  凹部
【図１】
2004245448.tif 000003
【図２】
2004245448.tif 000004
【図３】
2004245448.tif 000005
【図４】
2004245448.tif 000006
【図５】
2004245448.tif 000007
【図６】
2004245448.tif 000008
【図７】
2004245448.tif 000009
【図８】
2004245448.tif 000010
【図９】
2004245448.tif 000011